【事件の表示】
　特願２０１９−１９１８６０「装置およびボード」拒絶査定不服審判事件〔令和　２年　５月１４日出願公開、特開２０２０−　７４０８５〕について、次のとおり審決する。
【結　論】
　本件審判の請求は、成り立たない。
【理　由】
第１　手続の経緯
　本願は，２００３年（平成１５年）９月２６日（優先権主張　平成１４年９月２６日，平成１４年１０月４日，平成１４年１２月２７日）を国際出願日とする
特願２００５−５０１９５４号の一部を新たな特許出願とした
特願２００６−２６１５５５号の一部を新たな特許出願とした
特願２００７−０２６４７１号の一部を新たな特許出願とした
特願２００８−１７７４１６号の一部を新たな特許出願とした
特願２０１０−２５４４６０号の一部を新たな特許出願とした
特願２０１０−２６７１９８号の一部を新たな特許出願とした
特願２０１１−０４１１９０号の一部を新たな特許出願とした
特願２０１１−１８０８８１号の一部を新たな特許出願とした
特願２０１２−０３９５１５号の一部を新たな特許出願とした
特願２０１３−１６２９４３号の一部を新たな特許出願とした
特願２０１５−１５７９２７号の一部を新たな特許出願とした
特願２０１６−０８０２６８号の一部を新たな特許出願とした
特願２０１７−１６５９４９号の一部を新たな特許出願とした
特願２０１８−２３０５４９号の一部を新たな特許出願として
令和１年１０月２１日に出願されたものであって，以降の手続の経緯は以下のとおりである。
　令和　１年１１月１９日　　　手続補正書の提出
　令和　２年　６月１０日付け　拒絶理由通知
　令和　２年　７月１６日　　　意見書，手続補正書の提出
　令和　２年　８月　５日付け　拒絶査定
　令和　２年１１月１１日　　　審判請求書，手続補正書の提出
第２　令和２年１１月１１日付けの手続補正についての補正の却下の決定
［補正の却下の決定の結論］
　令和２年１１月１１日付けの手続補正（以下「本件補正」という。）を却下する。
［理由］
１．補正の内容 
（１）本件補正後の特許請求の範囲の記載
　本件補正により，特許請求の範囲の記載は，次のとおり補正された。（下線部は，補正箇所を示すものとして，請求人が付したものである。）
「　【請求項１】
　
ボード，床面，シートおよび，前記ボードと，前記床面と，前記シートと，のいずれかに貼付されるシール，の少なくともいずれかを含む
，人が通常にそのまま目視にて認識することができる文字または図以外の微細なドットが配列された
　前記画像データを前記ドットコードに数値化する画像処理部と，
　前記ドットコードに対応する処理を行う処理部と，を備える自走装置であって，
　前記自走装置が自走するときに，前記読み取り手段が前記ドットパターンを読み取る，自走装置。
　　【請求項２】
　前記ドットパターンは，
　　基準となるドットと，
　　前記基準となるドットの配置に基づき特定され
る点
　　を備え，
　　少なくとも一つの前記基準となるドットの配置によって前記ドットパターンの向きを認識させるドットパターンである，
請求項１に記載の自走装置。
　　【請求項３】
　前記ドットコードに対応する処理の少なくとも１つは，音声出力である請求項１または請求項２に記載の自走装置。
　　【請求項４】
　前記画像処理部で数値化された前記ドットコードは，無線によっ
て別
別体の装置
　　【請求項５】
　自走装置が表面を自走するために
，所
，人が通常にそのまま目視にて認識することができる文字または図以外の微細なドットが配列された
該表面の
，ボード，床面，シートおよび，前記ボードと，前記床面と，前記シートと，のいずれかに貼付されるシール，の少なくともいずれかを含む
　前記自走装置が自走するときに，該自走装置に下向きに設置された読み取り手段から，前記ドットパターンを画像データとして撮影
可能な
　　【請求項６】
　前記ドットパターンは，
　　基準となるドットと，
　　前記基準となるドットの配置に基づき特定され
る点
　　を備え，
　　少なくとも一つの前記基準となるドットの配置によって前記ドットパターンの向きを認識させるドットパターンである，
請求項５に記載の媒体。」
（以下，上記引用の請求項各項を，「補正後の請求項」という。）
（２）本件補正前の特許請求の範囲
　本件補正前の，令和２年７月１６日にされた手続補正により補正された特許請求の範囲の記載は次のとおりである。
「　【請求項１】
　媒体の所定領域に複数連続して繰り返されて形成され，所定の情報を有するドットコードが定義されたドットパターンを画像データとして撮影する，下向きに設置された読み取り手段と，
　前記画像データを前記ドットコードに数値化する画像処理部と，
　前記ドットコードに対応する処理を行う処理部と，を備える自走装置であって，
　前記自走装置が自走するときに，前記読み取り手段が前記ドットパターンを読み取る，自走装置。
　　【請求項２】
　前記ドットパターンは，
　　基準となるドットと，
　　前記基準となるドットの配置に基づき特定される仮想点からのずれ方で情報を定義する情報ドットと，
　　を備え，
　　少なくとも一つの前記基準となるドットの配置によって前記ドットパターンの向きを認識させるドットパターンである，
請求項１に記載の自走装置。
　　【請求項３】
　前記ドットコードに対応する処理の少なくとも１つは，音声出力である請求項１または請求項２に記載の自走装置。
　　【請求項４】
　前記画像処理部で数値化された前記ドットコードは，無線によって前記処理部を含む別体の装置に送信され，該処理部は，該ドットコードに対応する処理を行う，請求項１〜３のいずれかに記載の自走装置。
　　【請求項５】
　自走装置が表面を自走するために，該表面に所定の情報を有するドットコードが定義されたドットパターンが所定領域に複数連続して繰り返して形成された媒体であって，
　前記自走装置が自走するときに，該自走装置に下向きに設置された読み取り手段から，前記ドットパターンを画像データとして撮影させる，媒体。
　　【請求項６】
　前記ドットパターンは，
　　基準となるドットと，
　　前記基準となるドットの配置に基づき特定される仮想点からのずれ方で情報を定義する情報ドットと，
　　を備え，
　　少なくとも一つの前記基準となるドットの配置によって前記ドットパターンの向きを認識させるドットパターンである，
請求項５に記載の媒体。
　　【請求項７】
　前記媒体は，ボード，床面またはシートである，請求項５または６に記載の媒体。
　　【請求項８】
　前記媒体には，前記ドットパターンが形成されたシールが貼り付けられている，請求項５〜７のいずれかに記載の媒体。」
（以下，上記引用の請求項各項を，「補正前の請求項」という。）
２．補正の適否
（１）補正事項
　本件補正は，以下の補正事項を含むものである。
ア　補正事項１
　補正前の請求項１の「媒体の所定領域に複数連続して繰り返されて形成され，所定の情報を有するドットコードが定義されたドットパターン」を「ボード，床面，シートおよび，前記ボードと，前記床面と，前記シートと，のいずれかに貼付されるシール，の少なくともいずれかを含む媒体の所定領域に複数連続して繰り返されて形成され，所定の情報を有するドットコードが定義された，人が通常にそのまま目視にて認識することができる文字または図以外の微細なドットが配列されたドットパターン」とする補正（以下，「補正事項１」という。）。
イ　補正事項２
　補正前の請求項５の「自走装置が表面を自走するために，該表面に所定の情報を有するドットコードが定義されたドットパターンが所定領域に複数連続して繰り返して形成された媒体」を「自走装置が表面を自走するために，所定の情報を有するドットコードが定義された，人が通常にそのまま目視にて認識することができる文字または図以外の微細なドットが配列されたドットパターンが該表面の所定領域に複数連続して繰り返して形成された，ボード，床面，シートおよび，前記ボードと，前記床面と，前記シートと，のいずれかに貼付されるシール，の少なくともいずれかを含む媒体」とする補正（以下，「補正事項２」という。）。
（２）新規事項について
ア　本件補正が，特許法第１７条の２第３項の規定を満たすものであるか否か，即ち，本件補正が，願書に最初に添付した明細書，特許請求の範囲又は図面（以下，これらを「当初明細書等」という。）に記載した事項の範囲内でなされたものであるかについて，検討すると,
　補正事項１に係る補正後の請求項１に記載の，
「ボード，床面，シートおよび，前記ボードと，前記床面と，前記シートと，のいずれかに貼付されるシール，の少なくともいずれかを含む媒体の所定領域に複数連続して繰り返されて形成され，所定の情報を有するドットコードが定義された，人が通常にそのまま目視にて認識することができる文字または図以外の微細なドットが配列されたドットパターン」（以下，これを「引用記載１」という。），
　及び，
　補正事項２に係る補正後の請求項５に記載の，
「自走装置が表面を自走するために，所定の情報を有するドットコードが定義された，人が通常にそのまま目視にて認識することができる文字または図以外の微細なドットが配列されたドットパターンが該表面の所定領域に複数連続して繰り返して形成された，ボード，床面，シートおよび，前記ボードと，前記床面と，前記シートと，のいずれかに貼付されるシール，の少なくともいずれかを含む媒体」（以下，これを「引用記載２」という。），
　に関して，引用記載１の「ドットパターン」及び引用記載２の「媒体」と同等の記載は，当初明細書等に存在しない。
　そこで，当初明細書等に記載の内容から，引用記載１及び引用記載２の構成が読み取れるかについて，以下に検討する。
イ　当初明細書等に記載された事項
（ア）本件補正前後の請求項１に係る発明は，「自走装置」の発明であり，また，本件補正前後の請求項５に係る発明は，「自走装置が表面を自走するために，該表面に・・・ドットパターンが・・・形成された媒体」の発明であるところ，当初明細書等には，「自走装置」に関して以下の記載が存在する。（下線部は，当審で付したものである。）
「【０２８８】
　図８０は，
自走型の猫のヌイグルミ１１４１
ボードや家庭内の床面にシール等で形成されたドットパターン部１１２２上を該ヌイグルミ１１４１が自走する
【０２８９】
　図８１は，
自走式またはラジオコントロール式の自動車玩具１１５１
ボードや床面にシール等で形成されたドットパターン部１１２２
【０２９０】
　たとえば，
市街の道路を印刷したシート
当該シート上を自動車玩具を走らせて遊ぶ
該シート上にドットパターン部１１２２を形成したシールを貼っておき
（イ）また，上記補正事項１は，「媒体」に「形成され」る「ドットパターン」に関するものであり，上記補正事項２は，「ドットパターン」が「形成された媒体」に関するものであるところ，当初明細書等には，「媒体」に「形成され」る「ドットパターン」及び「ドットパターン」が「形成された媒体」に関して以下の記載が存在する。（下線部は，当審で付したものである。）
「【０００９】
　（１）本発明に係るトレース装置は，種々のマルチメディア情報を認識させるためにドットコード生成アルゴリズムによりドットを所定の規則に則って配列した
ドットパターンを透明フィルムに形成したタッチパネル
「【００１１】
　（３）また，本発明は，種々のマルチメディア情報を認識させるためにドットコード生成アルゴリズムにより生成されたドットを所定の規則に則って配列した
ドットパターン部が形成された印刷物等の媒体
「【００１４】
　
媒体としては絵本や写真とする
ドットパターン部を絵柄に重畳して印刷し
【００１５】
　また，
ドットパターン部はシール材に印刷し
【００１６】
　また，
ドットパターン部を透明フィルムに形成し
透明フィルムをタッチパネルとし
「【００２０】
　（４）また，本発明は，種々の情報を認識させるためにドットコード生成アルゴリズムによりドットを所定の規則により配列した
ドットパターン部
を印刷物
に印刷し
【００２１】
　
前記ドットパターン部
は印刷物の同一面に重ねて印刷し
「【００２４】
　そして，前記のＸＹ座標情報からなるドットパターン部と，前記コード番号情報からなる
ドットパターン部
を
印刷物
に印刷し
「【００３３】
　また，
ドットパターン部を印刷した印刷物に粘着剤を介在させて種々の媒体に貼付し
「【００４０】
　（５）また，本発明は，種々の情報を認識させるためにドットコード生成アルゴリズムによりドットを所定の規則により配列した
ドットパターン部
を
印刷した印刷物
「【００４４】
　（６）また，本発明は，携帯用電子玩具を，
書籍，ゲームカード，小物類または玩具等の媒体に形成した
ドットパターン部
「【００４６】
　さらに，前記
ドットパターン部は，対戦型ゲームカードに印刷され
ミニチュアフィギュア
にドットパターン部を設け
ドットパターン部を印刷したシールを貼付し
「【００４９】
　（７）また，本発明は，所定の形態を有するフィギュアにおいて，情報を認識させるためにドットコード生成アルゴリズムによりドットを所定の規則により配列した
ドットパターン部
を
印刷した印刷物
「【００５３】
　また，フィギュアは，情報を認識させるためにドットコード生成アルゴリズムによりドットを所定の規則により配列した
ドットパターン部
を同一面に印刷した印刷物
「【００６４】
　上述したような
ドットパターン６０１は，絵本，テキスト等の印刷物６０６に印刷する
「【００７１】
　このようなページでは，ページの左上のアイコン６０６ａをカメラ６０２で読み取り，スイッチを入れる。次に，絵柄６０６ｂに相当する物語の文章が印刷されたその文章部分６０６ｃをカメラ６０２で読み取る。
アイコン６０６ａと文章部分６０６ｃそれぞれにはドットパターン部６０７が印刷され
「【００７３】
　本発明のドットパターンを用いた情報再生方法は，物語からなる
絵本に限らず
算数をわかりやすく教える教材
音楽をわかりやすく教える教材
「【００７６】
　「音が出るポップ絵本」
　カメラ６０２をドットパターン部６０７に当接または走査させるだけという特性を活かし，ページを開くと立体物が現れる「ポップ絵本」と組み合わせることができる。ページを開くと
立体物の中にドットパターン部６０７を貼り付け，または印刷し
【００７７】
　「創作絵本（創作本）」
　印刷部６０６である
絵本の好きな箇所にドットパターン部６０７を貼る
ドットパターン部６０７を絵本６０６に貼って
【００７８】
　さらに，何も描かれていない絵本に，
ドットパターン部６０７の形成された
シールや，アイコンシール
絵本に
シールを貼り付け
【００７９】
　「音が出る教材」
　本発明は子供から大人，老人までのすべての世代に向けた「音が出る教材」として利用することができる。たとえば，
印刷物６０６のドットパターン部６０７
【００８０】
　このように，本発明は印刷物６０６等に印刷した入力インターフェースとして使用できるので，コンテンツ毎にそれに合わせたインターフェースを製造することができる。また，インターネット等の汎用ネットワークを介して，ドットパターンデータをパソコン６０８にダウンロードさせるようにし，ユーザが当該ドットパターンデータを自由に組み合わせて汎用のプリンタ装置で
紙面上にドットパターンを印刷する
【００８１】
　さらに，
印刷物６０６等その他媒体のドットパターン部６０７
【００８２】
　図１２は
ドットパターン部６０７を形成したタッチパネル
ドットパターン部６０７を形成したタッチパネル
「【００８４】
　そこで，本発明では高価にならないように，
透明フィルム６１１にドットパターン部６０７を印刷したタッチパネル６１２
「【００８９】
　図１４は
ドットパターン部６０７を形成したマウスパッド
「【００９０】
　この実施形態では，カメラ６０２をマウス型のケース６１５に内蔵し，マウスパッド６１６と組み合わせる。このマウス型のケース６１５内に半透過式鏡体６１７を取り付け，このマウス型のケース６１５の下面６１５ａからマウスパッド６１６の表面を認識することができると共に，ケース６１５の上面６１５ｂの開けた窓６１８から，
マウスパッド６１６に印刷されている
ドットパターン部６０７
「【００９５】
　図１８は
ドットパターン部６０７を形成した印刷面
【００９６】
　この実施形態では，カメラ６０２が内蔵されているペン状部材６１９と，テーブル６２０（またはトレース台）と組み合わせ，
ドットパターン部６０７を形成した印刷面
ドットパターン部６０７が印刷された紙６２１（印刷面）
「【０１０２】
　なお，本発明は上述した発明の実施形態に限定されず，
印刷物６０６や透明フィルム６１１（タッチパネル６１２）のドットパターン部６０７
「【０１０６】
　上述したような
ドットパターン１は，種々の印刷物５に印刷することによりドットパターン部６を構成する
【０１０７】
　本発明の情報入出力方法では，先ず，カメラユニット２を用いて，ドットパターン部６の画像データを取り込む際に，このドットパターン部６に赤外線を照射することにより，ノンカーボンのカラーインクで印刷した情報伝達部７から，ドットをカーボンで印刷したドットパターン部６のみを正確に読み取ることができる。すなわち，このような文字または図等で表示された情報伝達部７と
ドットパターン部６が
印刷された印刷物５
「【０１１０】
　このＸＹ座標情報からなるドットパターン部６によれば，予め
ドットパターン１を印刷した印刷物５
「【０１１４】
　なお，ＸＹ座標情報とコード番号情報からなる
ドットパターン部６を印刷物５の同一平面上に印刷する
「【０１１６】
　図示するように，印刷物５は白色用紙に対して，赤外線域波長において透明で，かつ可視光域波長において発色するインク，例えばノンカーボンインク（染料インク）などで印刷した情報伝達部７を形成したものである。次に，この
印刷物５に
ドットパターン部６を形成する
「【０１１８】
　なお，カメラユニット２で
印刷物５中のドットパターン部６
【０１１９】
　上述した本発明の方法では，
印刷物５という媒体
絵本，飛び出す絵本，写真自体，教材，テキスト，問題集，雑誌，新聞紙，カード，会員証，フォトスタンド，粘着剤付写真，博物館内の展示物の説明，カードゲーム，ボードゲーム，パンフレット，通信販売のカタログ等のあらゆる印刷物５
「【０１２１】
　携帯情報入出力装置は，カメラユニット２からなるセンサ部８と，処理部９と記憶部（メモリ）１０とからなる本体処理部１１とを備えたものである。このセンサ部８は，
印刷物５中のドットパターン部６
「【０１２７】
　さらに，
印刷物５等その他の媒体のドットパターン部６
「【０１３２】
　なお，本発明は図示例の実施形態に限定されず，
印刷物５中のドットパターン部６
「【０１４６】
　情報入力装置１１８は，カメラユニット１０２からなるセンサ部１０８と，処理部１０９からなる本体処理部１１１とを備えたものである。このセンサ部１０８は，
印刷物５中のドットパターン部６
「【０１５５】
　この情報入力装置１１８は，携帯電話機１１０に装着して次のような利用方法がある。たとえば，印刷物５中の文字または図等からなる情報伝達部７からの視覚情報と同時に，ドットパターン部６に連動した音声情報を共に認識することができる。このときは，携帯電話機１１０に音声情報の他に，画像，テキスト等を同時に表示することができる。この
印刷物５としては，教材，テキスト，問題集，雑誌，新聞紙，写真自体，カード，会員証，フォトスタンド，粘着剤付写真，博物館内の展示物の説明，カードゲーム，ボードゲーム，パンフレット，通信販売のカタログ等がある
「【０１６４】
　実施形態の携帯用電子玩具８０１は，ドットパターンの情報を再生させることにより，
媒体８０２となる書籍，ゲームカード，小物類または玩具等
「【０１６６】
　カメラ８１０は，
書籍，ゲームカード，小物類または玩具類に貼り付けるドットパターン部８０３
書籍等に
直接印刷したドットパターン部８０３
「【０１７５】
　本発明の携帯用電子玩具８０１は，
書籍，ゲームカード，小物類または玩具等の媒体８０２
「【０１７７】
　「対戦カードゲーム」
　本発明の携帯用電子玩具８０１は，「対戦カードゲーム」として利用することができる。
対戦カードゲームに対応した「専用シール＆データ集」を制作し，それぞれのカードに対応したドットパターン部８０３を貼付する
【０１７８】
　または，人気の
映画カードに対応した「専用シール＆データ集」を制作すれば，カードに対応したドットパターン部８０３を貼る
アイドルカードに対応した「専用シール＆データ集」を制作し，それぞれのカードに対応したドットパターン部８０３シールを貼る
【０１７９】
　本発明の携帯用電子玩具８０１は，
身の回りにある様々なモノにドットパターン部８０３を貼り付け
身の回りのモノにドットパターン部８０３を貼り付け
ミニカー用の道路キットにドットパターン部８０３を付け
【０１８０】
　本発明の携帯用電子玩具８０１は，
ドットパターン部８０３が沢山プリントされたＴシャツ
「【０１８３】
　参加者の数だけ本発明の携帯用電子玩具８０１を用意し，事前に
ドットパターン部８０３を色々な場所に
貼っておく
「【０１８９】
　
ドットパターン部８０３は，ミニフィギュア８２２の台８２４またはボトルキャップの内面天井に貼り付けられるように円形状のシート材からなり
シート材の他面にドットパターン部８０３を表示し
ミニフィギュア８２２自体にドットパターン部８０３を印刷する
「【０２１６】
　「すごろく」や「ボードゲーム」の駒としての利用
　本発明のフィギュア２１８は，「すごろく」や「ボードゲーム」の駒として利用することができる。このフィギュア２１８を，「すごろく」や「ボードゲーム」の上に置いたときに，フィギュア２１８のカメラ２０２で
印刷物５上のドットパターン８０３
【０２１７】
　「軍人将棋」の駒としての利用
　本発明のフィギュア２１８は，「軍人将棋」の駒として利用することができる。このフィギュア２１８を，「軍人将棋」の将棋盤（印刷物５）上に置いたときに，フィギュア２１８のカメラ２０２で
ボードゲームのベース（印刷物５）上のドットパターン部８０３
「【０２１９】
　「新シミュレーション・ボードゲーム」の駒としての利用
　本発明のフィギュアユニットは，
「ボードゲーム」
バトルステージ（印刷物５）
ステージにはドットパターン部８０３
が印刷され
「【０２５３】
　上述したような本発明の
ドットパターン１を，絵本，テキスト等の印刷物に印刷する
「【０２５６】
　拡散反射では，図１１０の左図に示すように，表面に細かな凹凸がある場合，入射した光が全方向に拡散して反射する。この拡散反射において，物体表面の特性によって定まる一定の波長の光が吸収される。従って，
上質紙やマット紙のように，紙面表面が凹凸である場合，印刷したドット６０５
コート紙やアート紙のように表面の平滑な紙やフィルム，プラスチック等にドットを印刷し
「【０２７８】
　図７２は，本発明を
ボードゲーム
ボード１１０２のマス目にはドットパターン部が形成され
「【０２８１】
　図７４は，
ミニフィギュア１１０１の
台座１１１０表面に形成されたドットパターン部
「【０２８４】
　図７６は，
カード１１２１にドットパターン部１１２２が設けられ
【０２８５】
　図７８は，雑誌等に印刷されたクロスワードパズル１１３２をペン型スキャナ１００１を用いて遊ぶ場合の例を示したものである。
紙面のクロスワードパズル１１３２の空白枠内１１３３に
ドットパターン部１１２２が形成され
【０２８６】
　この場合，ペン型スキャナ１００１の先端部をヒントを希望する空白枠内１１３３に当接させることで，該
空白枠内に形成されたドットパターン
「【０２９２】
　同図に示すように，装置本体１１０２には一対のカード挿入口が設けられており，各カード挿入口に対戦する２人のそれぞれの持ちカード１１２１，１１２１を挿入することにより，カード１１２１，１１２１に設定されたパラメータの優劣を判定するものである。
カード１１２１，１１２１の表面に
ドットパターン部１１２２が設けられ
【０２９３】
　図８４は，装置本体１１０２が単なるカードリーダであり，当該装置本体１１０２をパーソナルコンピュータと接続する場合の実施形態である。また，図８５は，
ドットパターン部の形成されたはがき大のシート１１６１
ドットパターン部の形成されたユーザからの返信はがき
【０２９４】
　図８６は，ＰＯＳレジ等で利用可能な装置本体１１０２の例であり，表面にガラス面１１７１を備えており，ガラス面１１７１下に配置されたスキャナ部１１０５でガラス面１１７１上を通過する
商品等に貼付されたドットパターン部１１２２
包装箱または包装紙の印刷表面に印刷面と重畳してドットパターン部を形成できる
【０２９５】
　図８７は，装置本体を台座１１０２で構成し，ミニフィギュア１１０１と組み合わせた例である。この実施形態では，台座１１０２の上面にガラス板１１７１が配置され，その下方にスキャナ部１１０５が設けられている。そして
底面にドットパターン部１１２２が形成されたミニフィギュア１１０１
「【０２９７】
　図８９は，フォトスタンド形式の装置本体１１０２を示している。
写真１１８１の裏面にはドットパターン部１１２２が形成され
【０２９８】
　なお，スピーカ１００７の他にマイク１００５を設けて，音声データを内蔵メモリまたはメモリカード１００４に登録しておき，予め
写真１１８１の裏面に貼付しているドットパターン部１１２２
「【０３０５】
　図９５は，ＰＤＡ１２０２の本体にスキャナ部１１０５を設けた構成であり，図９６はパソコン本体１２０１にスキャナ部１１０５を設けた構成を示している。図９５のようにＰＤＡ１２０２の本体にスキャナ部１１０５を設けた場合，ＰＤＡ１２０２の本体のスキャナ部１１０５を
紙面等のドットパターン部１１２２
名刺やカード１１２１
に設けられたドットパターン部１１２２
「【０３０８】
　このようなペン型スキャナ１００１の使用例としては，
レストラン等のメニューにドットパターン部１１２２を形成し
「【０３１１】
　図１０１は，ペン型スキャナ１００１にマイク１００５とスピーカ１００７とを設けた構成を示している。この実施形態では，
写真１１８１の表面に形成されたドットパターン部１１２２
「【０３１３】
　このように写真１１８１の他，個々の
シールにドットパターン部１１２２を形成し
「【０３１５】
　同図において，
システム手帳１７０１のスケジュール欄１７０２に
ドットパターン部１１２２が形成され
「【０３１７】
　なお，前記ペン型スキャナ１００１はパソコン１２０１とＵＳＢインターフェース等で接続可能としておくことにより，パソコン１２０１内のスケジュール管理システム（たとえば，マイクロソフト社のアウトルックや，ロータス社のノーツ等）とデータリンク（シンクロナイズ）させておけば，ペン型スキャナ１００１で
日付の欄（スケジュール欄１７０２）のドットパターン部１１２２
【０３１８】
　なお，ペン型スキャナ１００１をパソコン１２０１に接続しておき，前記
システム手帳１７０１，ＩＤカード，免許証等の表面に形成されたドットパターン部
ドットパターン部１１２２が形成された媒体（システム手帳１７０１に添付したシールやＩＤカード）
「【０３２０】
　前記
ドットパターン部１１２２は，ペーパーアイコンとしてシールに印刷しシステム手帳１７０１，ＩＤカード，免許証の表面に貼付し
プリンタ装置でユーザ自身が印刷し
【０３２１】
　なお，前記
ドットパターン部が形成されたペーパーアイコン
「【０３３４】
　
ドットパターン部１１２２は，
絵本等の媒体の他，通常の書籍，グリーティングカード，新聞，通信販売カタログ，パンフレット，ペーパークラフト，折り紙，レシピ等に形成してもよい
【０３３５】
　たとえば，
通信販売カタログにドットパターンを形成し
【０３３６】
　また，
ペーパークラフトや折り紙にドットパターン部を形成し
【０３３７】
　また，
レシピにドットパターン部を形成し
【０３３８】
　また，本発明のドットパターン部を用いてぬり絵のための絵本を提供してもよい。具体的には図１０６（ｂ），（ｃ）に示すような領域毎（マスク領域毎）に異なる色をクレヨン，フェルトペン，水彩絵の具等で着色させるようにしてもよい。この場合，
ドットパターン部が形成された紙面
【０３３９】
　また，
ドットパターン部は，バーコードリーダと重ねて印刷され
紙面等の媒体上でバーコードを
印刷し，さらにその上に
ドットパターン部を印刷する
ウ（ア）上記イ（イ）で摘記した記載から，当初明細書等には，ドットパターン部を形成する対象である「媒体」として，「印刷物等の媒体」，「絵本や写真」，「シール材」，「タッチパネルの透明フィルム」，「書籍，ゲームカード，小物類または玩具等の媒体」，「対戦型ゲームカード」，「ミニチュアフィギュア」，「絵本，テキスト等の印刷物」，「アイコンと文章部分」，「算数をわかりやすく教える教材」，「音楽をわかりやすく教える教材」，「立体物」，「タッチパネル」，「マウスパッド」，「絵本，飛び出す絵本，写真自体，教材，テキスト，問題集，雑誌，新聞紙，カード，会員証，フォトスタンド，粘着剤付写真，博物館内の展示物の説明，カードゲーム，ボードゲーム，パンフレット，通信販売のカタログ等のあらゆる印刷物５」，「ミニカー用の道路キット」，「Ｔシャツ」，「ミニフィギュアの台」，「ボトルキャップの内面天井」，「ボードゲームのベース（印刷物５）」，「ボードゲームのバトルステージ（印刷物５）」，「ボードゲームのボードのマス目」，「ミニフィギュアの台座の表面」，「クロスワードパズルの空白枠内」，「返信はがき」，「商品等」，「包装箱または包装紙の印刷表面」，「写真の裏面」，「名刺やカード」，「レストラン等のメニュー」，「写真の表面」，「シール」，「システム手帳１７０１のスケジュール欄」，「システム手帳，ＩＤカード，免許証等の表面」，「システム手帳１７０１に添付したシールやＩＤカード」，「通常の書籍，グリーティングカード，新聞，通信販売カタログ，パンフレット，ペーパークラフト，折り紙，レシピ等」などの様々なものが例示されており，これらの「媒体」にドットパターン部を形成する際には，当該「媒体」にドットパターンを直接印刷する手法と，「媒体」にドットパターンを印刷したシールを貼り付ける手法があることが記載されている。
　また，段落０１７９には，「身の回りにある様々なモノにドットパターン部を貼り付け」ることも記載されている。
（イ）補正事項１について
　上記引用記載１の「ボード，床面，シートおよび，・・・シール，の少なくともいずれかを含む媒体・・・に・・・形成され・・・たドットパターン」との記載は，「シール」のみならず，「ボード，床面，シート」にも，「シール」と同様にドットパターンを形成することが特定されているから，上記引用記載１は，自走装置が自走するための「ボード，床面，シート」に，「シール」と同様に，ドットパターンを印刷することを特定しているものと認められる。
　しかしながら，上記（ア）で検討したとおり，当初明細書等には，身の回りにある様々な「媒体」にドットパターンを直接印刷し，または，ドットパターンを印刷したシールを貼り付けることによって，ドットパターン部を形成することは記載されているものの，上記イ（ア）で摘記した自走装置の実施例では，ドットパターンをシールに印刷し，これを貼り付けることで「ボード，床面，シート」にドットパターン部を形成することが記載されているだけであり，当初明細書等から，自走装置が自走するための「ボード，床面，シート」にドットパターンを直接印刷することは読み取れない。また，自走装置が自走するための「ボード，床面，シート」にドットパターンを直接印刷することが，当初明細書等の記載から自明のこととも認められない。
　してみれば，上記引用記載１を含む上記補正事項１は，当初明細書等のすべての記載を総合することにより導かれる技術的事項との関係において，新たな技術的事項を導入するものであり，特許法第１７条の２第３項に規定する要件を満たしていない。
（ウ）補正事項２について
　上記引用記載２の「ドットパターンが・・・形成された，ボード，床面，シートおよび・・・シール，の少なくともいずれかを含む媒体」との記載は，「シール」のみならず，「ボード，床面，シート」にも，「シール」と同様にドットパターンを形成することが特定されているから，上記引用記載２は，自走装置が自走するための「ボード，床面，シート」に，「シール」と同様に，ドットパターンを印刷することを特定しているものと認められる。
　しかしながら，上記（ア）で検討したとおり，当初明細書等には，身の回りにある様々な「媒体」にドットパターンを直接印刷し，または，ドットパターンを印刷したシールを貼り付けることによって，ドットパターン部を形成することは記載されているものの，上記イ（ア）で摘記した自走装置の実施例では，ドットパターンをシールに印刷し，これを貼り付けることで「ボード，床面，シート」にドットパターン部を形成することが記載されているだけであり，当初明細書等から，自走装置が自走するための「ボード，床面，シート」にドットパターンを直接印刷することは読み取れない。また，自走装置が自走するための「ボード，床面，シート」にドットパターンを直接印刷することが，当初明細書等の記載から自明のこととも認められない。
　してみれば，上記引用記載２を含む上記補正事項２は，当初明細書等のすべての記載を総合することにより導かれる技術的事項との関係において，新たな技術的事項を導入するものであり，特許法第１７条の２第３項に規定する要件を満たしていない。
エ　小括
　したがって，上記補正事項１及び補正事項２を含む本件補正は，特許法第１７条の２第３項に規定する要件を満たしていない。
（３）請求人の主張について
（ア）請求人は，審判請求書の「３．」において，概略以下のとおり主張している。
「３．本願発明が特許されるべき理由
（中略）
　出願人は，以下の通り請求項を補正致しました。
（２−１）請求項１
　文頭の「媒体」を「ボード，床面，シートおよび，前記ボードと，前記床面と，前記シートと，のいずれかに貼付されるシール，の少なくともいずれかを含む媒体」と補正いたしました。この補正は，明細書の段落０２８８「ボードや家庭内の床面にシール等で形成されたドットパターン部１１２２」，段落０２８９「ボードや床面にシール等で形成されたドットパターン部１１２２」，段落０２９０「市街の道路を印刷したシートを用意し，当該シート上を自動車玩具を走らせて遊ぶ場合，交差点や踏切の手前には該シート上にドットパターン部１１２２を形成したシールを貼っておき」という記載を根拠としています。
（中略）
（２−４）請求項５ 
　「該表面に所定の情報を有するドットコードが定義されたドットパターンが所定領域に複数連続して繰り返して形成された媒体」を「所定の情報を有するドットコードが定義された，人が通常にそのまま目視にて認識することができる文字または図以外の微細なドットが配列されたドットパターンが該表面の所定領域に複数連続して繰り返して形成された，ボード，床面，シートおよび，前記ボードと，前記床面と，前記シートと，のいずれかに貼付されるシール，の少なくともいずれかを含む媒体」と補正いたしました。この補正は請求項１と同様です。
（中略）
（３）拒絶理由が解消したこと
（中略）
　補正後の請求項１，５では，「媒体」が「ボード」「床面」「シート」「前記ボードと，前記床面と，前記シートと，のいずれかに貼付されるシール」の少なくともいずれかであるため，「媒体」がどのようなものであるかが明確です。また，「ボード」「床面」「シート」「前記ボードと，前記床面と，前記シートと，のいずれかに貼付されるシール」のいずれも，明細書の記載と合致しています。
　したがって，補正後請求項１−６についてした補正は，願書に最初に添付した明細書，特許請求の範囲，又は図面に記載した事項の範囲内においてしたものであり，ご指摘の拒絶理由は解消いたしました。」
（イ）しかしながら，上記（２）で判断したとおり，補正の根拠とされる明細書の段落０２８８〜０２９０の記載，及びその他の記載を検討しても，当初明細書等からは，上記引用記載１及び引用記載２に相当する構成を読み取ることはできないから，請求人の意見書における上記主張は採用することができない。
３．本件補正についてのむすび
　以上のとおり，本件補正は，特許法第１７条の２第３項に規定する要件を満たしていないものであり，同法第１５９条第１項で読み替えて準用する同法第５３条第１項の規定により却下されるべきものである。
　よって，上記補正の却下の決定の結論のとおり決定する。
第３　本願発明について
１．本願発明
　令和２年１１月１１日付けの手続補正は，上記のとおり却下されたので，本願の請求項１〜８に係る発明は，令和２年７月１６日付けの手続補正（以下，「本願補正」という。）により補正された特許請求の範囲の請求項１〜８に記載された，上記「第２　１．（２）」において，本件補正前の請求項１〜８として引用したとおりのものであるところ，以下に再掲する。
「　【請求項１】
　媒体の所定領域に複数連続して繰り返されて形成され，所定の情報を有するドットコードが定義されたドットパターンを画像データとして撮影する，下向きに設置された読み取り手段と，
　前記画像データを前記ドットコードに数値化する画像処理部と，
　前記ドットコードに対応する処理を行う処理部と，を備える自走装置であって，
　前記自走装置が自走するときに，前記読み取り手段が前記ドットパターンを読み取る，自走装置。
　　【請求項２】
　前記ドットパターンは，
　　基準となるドットと，
　　前記基準となるドットの配置に基づき特定される仮想点からのずれ方で情報を定義する情報ドットと，
　　を備え，
　　少なくとも一つの前記基準となるドットの配置によって前記ドットパターンの向きを認識させるドットパターンである，
請求項１に記載の自走装置。
　　【請求項３】
　前記ドットコードに対応する処理の少なくとも１つは，音声出力である請求項１または請求項２に記載の自走装置。
　　【請求項４】
　前記画像処理部で数値化された前記ドットコードは，無線によって前記処理部を含む別体の装置に送信され，該処理部は，該ドットコードに対応する処理を行う，請求項１〜３のいずれかに記載の自走装置。
　　【請求項５】
　自走装置が表面を自走するために，該表面に所定の情報を有するドットコードが定義されたドットパターンが所定領域に複数連続して繰り返して形成された媒体であって，
　前記自走装置が自走するときに，該自走装置に下向きに設置された読み取り手段から，前記ドットパターンを画像データとして撮影させる，媒体。
　　【請求項６】
　前記ドットパターンは，
　　基準となるドットと，
　　前記基準となるドットの配置に基づき特定される仮想点からのずれ方で情報を定義する情報ドットと，
　　を備え，
　　少なくとも一つの前記基準となるドットの配置によって前記ドットパターンの向きを認識させるドットパターンである，
請求項５に記載の媒体。
　　【請求項７】
　前記媒体は，ボード，床面またはシートである，請求項５または６に記載の媒体。
　　【請求項８】
　前記媒体には，前記ドットパターンが形成されたシールが貼り付けられている，請求項５〜７のいずれかに記載の媒体。」
２．本願補正前の特許請求の範囲
　本願補正前の，令和１年１１月１９日にされた手続補正により補正された特許請求の範囲の記載は次のとおりである。
「　【請求項１】
　所定の情報を有するドットコードが定義されたドットパターンが所定領域に複数連続して繰り返して形成されたボードから前記ドットパターンを画像データとして撮影する，下向きに設置された読み取り手段と，
　前記画像データを数値化する画像処理部と，
　該画像処理部で画像処理した数値と対応する処理を行う処理部と，を備え，
　前記ドットコードはＸＹ座標情報を含み，該ＸＹ座標情報を取得して自走する，装置。
　　【請求項２】
　ＸＹ座標情報を元に装置が自走するために，ＸＹ座標情報を含むドットコードが定義されたドットパターンが所定領域に複数連続して繰り返して形成されたボードであって，
　前記装置の下向きに設置された読み取り手段から，前記ドットパターンを画像データとして撮影させ，前記ボード上で前記装置を自走させる，ボード。」
３．原査定の拒絶の理由
（１）令和２年６月１０日付けの拒絶理由は，次のとおりである。
「（新規事項）令和１年１１月１９日付け手続補正書でした補正は，下記の点で願書に最初に添付した明細書，特許請求の範囲又は図面に記載した事項の範囲内においてしたものでないから，特許法第１７条の２第３項に規定する要件を満たしていない。
　　　　　記　　　（引用文献等については引用文献等一覧参照）
●理由（新規事項）について
・請求項１，２
　請求項１，２には，「…自走する，装置」と「…装置を自走させる，ボード」についての発明が記載されている。
　「自走する装置」に関する記載は，ＰＣＴ／ＪＰ０３／１２３６４（２００３年９月２６日国際出願）から明細書に含まれるものと認められる。
　しかしながら，本願の明細書の第２８８−２９０段落及び図８０，８１に開示されている記載をみても，明細書全体を考慮しても，請求項１，２に記載されている装置あるいはボードが記載されているとはいえず，これらの発明は，出願当初の明細書，特許請求の範囲又は図面に開示がされているとはいえない。」
（２）令和２年８月５日付けの拒絶査定は，次のとおりである。
「この出願については，令和　２年　６月１０日付け拒絶理由通知書に記載した理由によって，拒絶をすべきものです。
　なお，意見書及び手続補正書の内容を検討しましたが，拒絶理由を覆すに足りる根拠が見いだせません。
備考
●理由（特許法第１７条の２第３項）について
・請求項１−８
（中略）
　しかしながら，請求項１−８に記載されている「ドットパターン」が形成されるものとして「媒体」がどのようなものであるかが請求項１−８の記載からは不明であり，第２８８−２９０段落の「自走（する）玩具」の実施例に記載されている，「シール等で形成されたドットパターン部」という記載から，該「媒体」が「シール」であると想定しても，明細書の記載と合致しないので，補正された請求項１−８に係る発明も新規事項の追加と言わざるをえない。」
４．当審の判断
（１）本願補正は，以下の補正事項を含むものである。
ア　補正事項ａ
　本願補正前の請求項１の「所定の情報を有するドットコードが定義されたドットパターンが所定領域に複数連続して繰り返して形成されたボードから前記ドットパターンを画像データとして撮影する」を「媒体の所定領域に複数連続して繰り返されて形成され，所定の情報を有するドットコードが定義されたドットパターンを画像データとして撮影する」とする補正（以下，「補正事項ａ」という。）。
イ　補正事項ｂ
　本願補正前の請求項２の「ＸＹ座標情報を元に装置が自走するために，ＸＹ座標情報を含むドットコードが定義されたドットパターンが所定領域に複数連続して繰り返して形成されたボード」を本願補正後の請求項５の「自走装置が表面を自走するために，該表面に所定の情報を有するドットコードが定義されたドットパターンが所定領域に複数連続して繰り返して形成された媒体」とする補正（以下，「補正事項ｂ」という。）。
ウ　補正事項ｃ
　本願補正後の請求項７として，新たに，「前記媒体は，ボード，床面またはシートである，請求項５または６に記載の媒体。」を追加する補正（以下，「補正事項ｃ」という。）。
（２）当初明細書等に記載された事項
　当初明細書等には，「自走装置」に関して，上記「第２　２．（２）イ（ア）」の記載が存在する。
　また，当初明細書等には，「媒体」に「形成され」る「ドットパターン」及び「ドットパターン」が「形成された媒体」に関して，上記「第２　２．（２）イ（イ）」の記載が存在する。
　
（３）判断
ア　上記補正事項ａに係る本願補正後の請求項１に記載の，
「媒体の所定領域に複数連続して繰り返されて形成され，所定の情報を有するドットコードが定義されたドットパターン」（以下，これを「引用記載ａ」という。），
　補正事項ｂに係る本願補正後の請求項５に記載の，
「自走装置が表面を自走するために，該表面に所定の情報を有するドットコードが定義されたドットパターンが所定領域に複数連続して繰り返して形成された媒体」（以下，これを「引用記載ｂ」という。），
　及び，
　補正事項ｃに係る本願補正後の請求項７に記載の，
「前記媒体は，ボード，床面またはシートである」（以下，これを「引用記載ｃ」という。），
　に関して，当初明細書等に記載の内容から，引用記載ａ〜引用記載ｃの構成が読み取れるかについて検討する。
イ　補正事項ａについて
　本願補正後の請求項１は「自走装置」の発明であり，上記引用記載ａの「媒体の所定領域に複数連続して繰り返されて形成され，所定の情報を有するドットコードが定義されたドットパターン」は，自走装置が自走するときに読み取る「ドットパターン」であるから，当該「ドットパターン」が形成される「媒体」は，自走装置の実施例における「ボード，床面，シート」に対応したものと認められる。
　そうすると，上記引用記載ａは，自走装置の実施例の「ボード，床面，シート」に対応する「媒体」に「ドットパターン」を「形成」すなわち「印刷」することを特定するものと認められる。
　しかしながら，上記「第２　２．（２）」で検討したとおり，自走装置の実施例では，ドットパターンをシールに印刷し，これを貼り付けることで「ボード，床面，シート」にドットパターン部を形成することが記載されているだけであり，当初明細書等からは，自走装置が自走するための「ボード，床面，シート」にドットパターンを印刷することは読み取れないから，当初明細書等には，自走装置が自走するための「媒体」に関して，上記引用記載ａの「媒体の所定領域に・・・形成され・・・たドットパターン」に相当する構成が記載されているとはいえない。
　してみれば，上記引用記載ａを含む上記補正事項ａは，当初明細書等のすべての記載を総合することにより導かれる技術的事項との関係において，新たな技術的事項を導入するものであり，特許法第１７条の２第３項に規定する要件を満たしていない。
ウ　補正事項ｂについて
　本願補正後の請求項５は，「自走装置が表面を自走するために，該表面に所定の情報を有するドットコードが定義されたドットパターンが所定領域に複数連続して繰り返して形成された媒体」の発明であり，上記引用記載ｂの「自走装置が表面を自走するために，該表面に・・・ドットパターンが・・・形成された媒体」は，自走装置が自走するときに読み取られる「ドットパターン」が形成された「媒体」であるから，当該「媒体」は，自走装置の実施例における「ボード，床面，シート」に対応したものと認められる。
　そうすると，上記引用記載ｂは，自走装置の実施例の「ボード，床面，シート」に対応する「媒体」に「ドットパターン」を「形成」すなわち「印刷」することを特定するものと認められる。
　しかしながら，上記「第２　２．（２）」で検討したとおり，自走装置の実施例では，ドットパターンをシールに印刷し，これを貼り付けることで「ボード，床面，シート」にドットパターン部を形成することが記載されているだけであり，当初明細書等からは，自走装置が自走するための「ボード，床面，シート」にドットパターンを印刷することは読み取れないから，当初明細書等には，自走装置が自走するための「媒体」に関して，上記引用記載ｂの「自走装置が表面を自走するために，該表面に・・・ドットパターンが・・・形成された媒体」に相当する構成が記載されているとはいえない。
　してみれば，上記引用記載ｂを含む上記補正事項ｂは，当初明細書等のすべての記載を総合することにより導かれる技術的事項との関係において，新たな技術的事項を導入するものであり，特許法第１７条の２第３項に規定する要件を満たしていない。
エ　補正事項ｃについて
　本願補正後の請求項７は本願補正後の請求項５を引用するものであり，請求項７の引用記載ｃは，請求項５の引用記載ｂにおける「媒体」について，「前記媒体は，ボード，床面またはシートである」ことを具体的に限定するものであるから，上記引用記載ｃで限定された上記引用記載ｂについても，上記ウで引用記載ｂについて検討したことと同様のことが言える。そうすると，当初明細書等からは，自走装置が自走するための「ボード，床面，シート」にドットパターンを印刷することは読み取れないから，当初明細書等には，自走装置が自走するための「媒体」に関して，上記引用記載ｃで限定される上記引用記載ｂの「自走装置が表面を自走するために，該表面に・・・ドットパターンが・・・形成された」「ボード，床面またはシートである」「媒体」に相当する構成が記載されているとはいえない。
　してみれば，上記引用記載ｃによって上記引用記載ｂを更に限定する上記補正事項ｃは，当初明細書等のすべての記載を総合することにより導かれる技術的事項との関係において，新たな技術的事項を導入するものであり，特許法第１７条の２第３項に規定する要件を満たしていない。
エ　小括
　したがって，上記補正事項ａ〜補正事項ｃを含む本願補正は，特許法第１７条の２第３項に規定する要件を満たしていない。
（４）意見書における主張について
ア　請求人は，令和２年７月１６日の意見書「３．」及び「４．」において，次のとおり主張している。
「３．補正の説明
（１）請求項１
（中略）
（１−４）「前記ドットコードはＸＹ座標情報を含み，該ＸＹ座標情報を取得して自走する，装置」を「前記自走装置が自走するときに，前記読み取り手段が前記ドットパターンを読み取る，自走装置」と補正いたしました。
　この補正は，明細書の段落０２８８「ボードや家庭内の床面にシール等で形成されたドットパターン部１１２２上を該ヌイグルミ１１４１が自走することによってドットパターン部１１２２を読取り」という記載を根拠としています。
　　（中略）
（５）補正後請求項５（補正前請求項２）
（５−１）「ＸＹ座標情報を元に装置が自走するために」を「自走装置が表面を自走するために」と補正いたしました。
　この補正は，明細書の段落０２８８「ボードや家庭内の床面にシール等で形成されたドットパターン部１１２２上を該ヌイグルミ１１４１が自走する」という記載を根拠としています。
（５−２）「ＸＹ座標情報を含むドットコードが定義されたドットパターンが所定領域に複数連続して繰り返して形成されたボード」を「該表面に所定の情報を有するドットコードが定義されたドットパターンが所定領域に複数連続して繰り返して形成された媒体」と補正いたしました。
　この補正は，明細書の段落００６５，０１０３「ドットコードの生成」との記載および段落０２８９「ドットパターン部１１２２に対応する音声情報」という記載を根拠としています。
（５−３）「前記装置の下向きに設置された読み取り手段から，前記ドットパターンを画像データとして撮影させ，前記ボード上で前記装置を自走させる」を「前記自走装置が自走するときに，該自走装置に下向きに設置された読み取り手段から，前記ドットパターンを画像データとして撮影させる」と補正いたしました。
　この補正は，明細書の段落０２８８「ボードや家庭内の床面にシール等で形成されたドットパターン部１１２２上を該ヌイグルミ１１４１が自走することによってドットパターン部１１２２を読取り」という記載を根拠としています。
（中略）
４．拒絶理由を解消したこと
　審査官殿は，補正がなされた請求項１，２に記載した事項は，願書に最初に添付した明細書，特許請求の範囲又は図面に記載した事項の範囲内においてしたものではないから，特許法第１７条の２第３項に規定する要件を満たしていない，と指摘しています。
　これに対して出願人は，請求項１，２（補正後請求項１，５）を補正いたしました。
　上記「３．補正の説明」で説明した通り，補正後の請求項１，５に記載した事項は，出願当初の明細書，特許請求の範囲又は図面に開示がされています。
　また，新設した請求項２〜４，６〜８に記載した事項についても，上記「３．補正の説明」で説明した通り，出願当初の明細書，特許請求の範囲又は図面に開示がされています。
　したがって，本意見書と同日付けで提出する手続補正書でした補正は，願書に最初に添付した明細書，特許請求の範囲又は図面に記載した事項の範囲内においてしたものであるため，ご指摘の拒絶理由は解消しております。」
イ　しかしながら，上記（３）で判断したとおり，補正の根拠とされる明細書の段落０２８８〜０２９０の記載，及びその他の記載を検討しても，当初明細書等からは，上記引用記載ａ〜引用記載ｃに相当する構成を読み取ることはできないから，請求人の意見書における上記主張は採用することができない。
第４　むすび
　以上のとおり，本願補正は，特許法第１７条の２第３項に規定する要件を満たしていないから，本願は，拒絶すべきものである。
　よって，結論のとおり審決する。